(57)【要約】【課題】プラズマディスプレイパネルの実駆動に先立って行うエージング方法において、エージング放電が放電セルの広い範囲にわたって広がり、エージング効果が高められ、特に、従来のエージングでは難しかった背面側の基板上に形成された蛍光体層に対するスパッタリングが充分に行え、ホワイトバランスの崩れ、白画像品質の悪化を防止する蛍光体層の初期劣化を加速することができ、エージング工程の短時間化により作業効率を向上させる。【解決手段】表面側の基板１上の走査電極２と背面側の基板８上のデータ電極１０の間または表面側の基板１上の維持電極３とデータ電極１０の間に交互に逆位相の矩型波電圧を印加し、点灯させることによりエージングを行う。【選択図】　図４
2004014428.tif 000002
【特許請求の範囲】
【請求項１】
表面側の基板上には、走査電極と維持電極とで対をなすストライプ状の表示電極と、前記走査電極と前記維持電極を覆う誘電体層と、前記誘電体層の保護膜とが形成され、前記表面側の基板と対向配置された背面側の基板上には絶縁体層で覆われたストライプ状のデータ電極が形成され、前記表示電極と前記データ電極の交点が形成する放電セルの前記背面側の基板上に蛍光体層を形成したプラズマディスプレイパネルのエージング方法において、前記走査電極と前記データ電極の間あるいは前記維持電極と前記データ電極の間に交互に逆位相の矩型波電圧を印加し、点灯させるプラズマディスプレイパネルのエージング方法。
【請求項２】
表面側の基板上には、走査電極と維持電極とで対をなすストライプ状の表示電極と、前記走査電極と前記維持電極を覆う誘電体層と、前記誘電体層の保護膜とが形成され、前記表面側の基板と対向配置された背面側の基板上には絶縁体層で覆われたストライプ状のデータ電極が形成され、前記表示電極と前記データ電極の交点が形成する放電セルの前記背面側の基板上に蛍光体層を形成したプラズマディスプレイパネルのエージング方法において、エージング期間中に、前記走査電極と前記維持電極の間、前記走査電極と前記データ電極の間、前記維持電極と前記データ電極の間の３種類の電極間を順次切り換えて、交互に逆位相の矩型波電圧を印加し、点灯させることにより、３種類の放電を順次発生させるプラズマディスプレイパネルのエージング方法。
【発明の詳細な説明】
【０００１】
【発明の属する技術分野】
本発明は、視認性に優れた薄型表示デバイスとしてテレビジョン受像機等に使用されるＡＣ型で面放電型のプラズマディスプレイパネルのエージング方法に関するものである。
【０００２】
【従来の技術】
従来からプラズマディスプレイパネルには、大別して駆動的にはＡＣ型とＤＣ型があり、放電形式では面放電型と対向放電型の２種類があるが、高精細度、大画面化および製造の簡便性から、現状ではＡＣ型で面放電型のプラズマディスプレイパネルが主流を占めるようになってきている。
【０００３】
プラズマディスプレイパネルの製造は、まず、ガラス基板上に電極や隔壁等となる各種の凸部を形成して表面板パネルと背面板パネルを製造し、両パネルを対向させた後、周囲をシールしてその内部に不活性ガスを封入する。そして、最後に制御回路やシャーシを組み立ててプラズマディスプレイパネルを完成する。
【０００４】
以下、一般的なＡＣ型で面放電型のプラズマディスプレイパネルの構成を図面を用いて説明する。図１はプラズマディスプレイパネルの構成斜視図、図２は図１のＡ−Ａ線における断面図、図３は図１のＢ−Ｂ線における断面図であり、ガラス基板等の透明な表面側の基板１上には、走査電極２と維持電極３とで対をなすストライプ状の表示電極４が複数対形成され、そして表面側の基板１上の隣り合う表示電極４間には遮光層５が配置形成されている。この走査電極２および維持電極３は、それぞれ透明電極２ａ、３ａおよびこの透明電極２ａ、３ａに電気的に接続された銀等の母線２ｂ、３ｂとから構成されている。また、表面側の基板１には、前記複数対の電極群を覆うように電荷をためる誘電体層６が形成され、その誘電体層６上には保護膜および２次電子放出膜として働くＭｇＯ膜７が形成されている。
【０００５】
また、表面側の基板１に対向配置される背面側の基板８上には、走査電極２および維持電極３の表示電極４と直交する方向に、絶縁体層９で覆われた複数のストライプ状のデータ電極１０が形成されている。このデータ電極１０間の絶縁体層９上には、データ電極１０と平行にストライプ状の複数の隔壁１１が配置され、隣接する隔壁１１間において、隔壁１１の側面および絶縁体層９の表面に蛍光体層１２が設けられている。
【０００６】
これらの表面側の基板１と背面側の基板８とは、走査電極２および維持電極３とデータ電極１０とが直交するように、微小な放電空間を挟んで対向配置されるとともに、周囲が封止され、そして前記放電空間には、ヘリウム、ネオン、アルゴン、キセノンの内の１種または混合ガスが放電ガスとして封入されている。また、放電空間は、隔壁１１によって複数の区画に仕切ることにより、表示電極４とデータ電極１０との交点が放電セル１３となり、それら複数の放電セル１３の内、データ電極１０によって選択された放電セル１３において、最初、表示電極４とデータ電極１０との間に規模の小さい書込放電が生じ、その後、走査電極２および維持電極３間に主放電が生じてプラズマディスプレイパネルのディスプレイ表示が行われる。
【０００７】
また、その各放電セル１３には、赤色、緑色および青色となるように蛍光体層１２が１色ずつ順次配置され、各放電セル１３間は遮光層５によって覆われており、放電セル１３の位置以外の放電は外部から見えない。
【０００８】
上記構成のプラズマディスプレイパネルは、従来は、図６のエージング放電状態図に示すように、実駆動に先立ち、前記図１、図２、図３に示す構成のプラズマディスプレイパネルの表面側の基板１上の走査電極２と維持電極３間に、データ電極１０を接地した状態で、交互に実駆動より高い電圧を印加してエージング放電１４を起こし、パネル管内の活性化を行うことで、実駆動時における駆動電圧の低下と、パネル全面における安定放電を図り、また、背面側の基板８上の蛍光体層１２の初期劣化を図っている。
【０００９】
上記エージングによってパネル管内を活性化させ、実駆動時における駆動電圧の低下と、パネル全面における安定放電を図るということは、水を吸収してその表面に水和物の膜ができ易く、また、その膜形成からパネル完成までの製造工程で異物や不純ガスを吸着し易いため、２次電子放出性が悪化する表面側の基板１上のＭｇＯ膜７を、同じく表面側の基板１上の走査電極２と維持電極３間のエージング放電１４により生じる陽イオンを電極に衝突させて起こるスパッタ現象で清浄化することである。
【００１０】
プラズマディスプレイパネルにおいて、ＭｇＯ膜７が放出する２次電子は走査電極２と維持電極３間に生じる放電を誘発する源であり、これが汚染されて２次電子を放出できない場合は、プラズマディスプレイパネルの駆動電圧が高くなり、パネル面内で放電の強さにばらつきが生じ、パネル全面を安定に放電させることができなくなるという問題が生じる。
【００１１】
また、上記エージングによって蛍光体層１２の初期劣化を図るということは、実駆動時における急激な色温度の変化を抑えるためである。
【００１２】
その理由は、蛍光体層１２の内、特に青色蛍光体は初期状態から実駆動時になった時の輝度低下が他色蛍光体に比べ著しく、エージングによって充分に時間をかけて劣化させておかないと、実駆動時に青色蛍光体が他色蛍光体に比べ、輝度の低下していく速度が速いため、プラズマディスプレイパネルの出荷時に調整したホワイトバランスが崩れ、白画像品質が悪化するためである。
【００１３】
エージングによって蛍光体層１２の初期劣化を図るためには、前記図６の従来のエージング放電状態図に示すように、表面側の基板１上の走査電極２と維持電極３間に、データ電極１０を接地した状態で、交互に実駆動より高い電圧を印加してエージング放電１４を起こし、エージング放電１４によって発生した陽イオンを背面側の基板８上の蛍光体層１２の表面に衝突させること、すなわち、スパッタリングさせることが効果的である。
【００１４】
【発明が解決しようとする課題】
しかしながら、上記従来のプラズマディスプレイパネルのエージング方法によると、エージング放電は表面側の基板上の走査電極と維持電極間に生じるものであり、放電の広がりが表面側の基板上に限定されるため、表面側の基板上のＭｇＯ膜はエージング放電による陽イオンのスパッタ現象で清浄化することができても、背面側の基板上の蛍光体層に対するスパッタリングは不十分であり、蛍光体層の劣化が緩やかであるため、充分な劣化のためにはエージングに長時間を要し、作業効率が低下するという問題があった。
【００１５】
本発明は上記の課題を解決するもので、蛍光体層の初期劣化を加速することでプラズマディスプレイパネルのエージング工程の短時間化を実現するものである。
【００１６】
【課題を解決するための手段】
上記の課題を解決するために、本発明は、表面側の基板上には、走査電極と維持電極とで対をなすストライプ状の表示電極と、前記走査電極と維持電極を覆う誘電体層と、前記誘電体層の保護膜とが形成され、前記表面側の基板と対向配置された背面側の基板上には絶縁体層で覆われたストライプ状のデータ電極が形成され、前記表示電極とデータ電極の交点の背面側の基板上に蛍光体層を形成したプラズマディスプレイパネルのエージング方法において、走査電極とデータ電極の間あるいは維持電極とデータ電極の間に交互に逆位相の矩型波電圧を印加し、点灯させるプラズマディスプレイパネルのエージング方法であり、蛍光体層の初期劣化を加速することでプラズマディスプレイパネルのエージング工程の短時間化を実現するものである。
【００１７】
【発明の実施の形態】
本発明の請求項１に記載の発明は、表面側の基板上には、走査電極と維持電極とで対をなすストライプ状の表示電極と、前記走査電極と維持電極を覆う誘電体層と、前記誘電体層の保護膜とが形成され、前記表面側の基板と対向配置された背面側の基板上には絶縁体層で覆われたストライプ状のデータ電極が形成され、前記表示電極とデータ電極の交点が形成する放電セルの背面側の基板上に蛍光体層を形成したプラズマディスプレイパネルのエージング方法において、走査電極とデータ電極の間あるいは維持電極とデータ電極の間に交互に逆位相の矩型波電圧を印加し、点灯させるプラズマディスプレイパネルのエージング方法であり、走査電極とデータ電極の間あるいは維持電極とデータ電極の間に交互に逆位相の矩型波電圧を印加し、点灯させることにより、放電セルの背面側の基板上に形成した蛍光体層に対してエージング放電が広がるという作用を有する。
【００１８】
本発明の請求項２に記載の発明は、表面側の基板上には、走査電極と維持電極とで対をなすストライプ状の表示電極と、前記走査電極と維持電極を覆う誘電体層と、前記誘電体層の保護膜とが形成され、前記表面側の基板と対向配置された背面側の基板上には絶縁体層で覆われたストライプ状のデータ電極が形成され、前記表示電極とデータ電極の交点が形成する放電セルの背面側の基板上に蛍光体層を形成したプラズマディスプレイパネルのエージング方法において、エージング期間中に、走査電極と維持電極の間、走査電極とデータ電極の間、維持電極とデータ電極の間の３種類の電極間を順次切り換えて、交互に逆位相の矩型波電圧を印加し、点灯させることにより、３種類の放電を順次発生させるプラズマディスプレイパネルのエージング方法であり、エージング期間中に、３種類の放電を順次発生させることにより、表示電極とデータ電極の交点が形成する放電セルの広い範囲にわたりエージング放電が広がるという作用を有する。
【００１９】
以下、本発明の実施の形態について図面を参照しながら説明する。
【００２０】
（実施の形態１）
プラズマディスプレイパネルを、実駆動に先立ちエージングを行う方法の実施の形態１の方法は、前記図１のプラズマディスプレイパネルの構成斜視図および図２、図３の断面図に示す走査電極２とデータ電極１０の間に、維持電極３を接地した状態で、交互に逆位相の矩型波電圧を印加し、点灯させる方法であり、表面側の基板１上の走査電極２と背面側の基板８上のデータ電極１０の間に交互に逆位相の矩型波電圧を印加し、点灯させることにより、図６の従来のエージング放電状態図に示すエージング放電１４のように放電の広がりが表面側の基板上１に限定されることがなく、図４のエージング放電状態図に示すように、走査電極２とデータ電極１０の間の放電セルに広くエージング放電１５が発生し、そのエージング放電１５によって発生した陽イオンが背面側の基板８上の蛍光体層１２の表面に衝突して、スパッタリングができ、蛍光体層１２の劣化が充分に行えるものであり、結果的に、蛍光体層１２の初期劣化が加速することでプラズマディスプレイパネルのエージング工程の短時間化を実現できることになる。
【００２１】
（実施の形態２）
プラズマディスプレイパネルを、実駆動に先立ちエージングを行う方法の実施の形態２の方法は、前記図１のプラズマディスプレイパネルの構成斜視図および図２、図３の断面図に示す維持電極３とデータ電極１０の間に、走査電極２を接地した状態で、交互に逆位相の矩型波電圧を印加し、点灯させる方法であり、表面側の基板１上の維持電極３と背面側の基板８上のデータ電極１０の間に交互に逆位相の矩型波電圧を印加し、点灯させることにより、図６の従来のエージング放電状態図に示すエージング放電１４のように放電の広がりが表面側の基板上１に限定されることがなく、図５のエージング放電状態図に示すように、維持電極３とデータ電極１０の間の放電セルに広くエージング放電１６が発生し、そのエージング放電１６によって発生した陽イオンが背面側の基板８上の蛍光体層１２の表面に衝突して、スパッタリングができ、蛍光体層１２の劣化が充分に行えるものであり、結果的に、蛍光体層１２の初期劣化が加速することでプラズマディスプレイパネルのエージング工程の短時間化を実現できることになる。
【００２２】
（実施の形態３）
プラズマディスプレイパネルを、実駆動に先立ちエージングを行う方法の実施の形態３の方法は、エージング期間中に、前記図１のプラズマディスプレイパネルの構成斜視図および図２、図３の断面図に示す走査電極２と維持電極３の間、走査電極２とデータ電極１０の間、維持電極３とデータ電極１０の間の３種類の電極間を順次切り換えて、交互に逆位相の矩型波電圧を印加し、点灯させることにより、図６、図４、図５のエージング放電状態図に示す３種類のエージング放電１４、１５、１６を次々と発生させることにより、表示電極４とデータ電極１０の交点が形成する放電セル１３の広い範囲にわたりエージング放電が広がり、そのエージング放電１４、１５、１６によって発生した陽イオンが背面側の基板８上の蛍光体層１２の表面に衝突して、スパッタリングができ、蛍光体層１２の劣化が充分に行えるものであり、結果的に、蛍光体層１２の初期劣化が加速することでプラズマディスプレイパネルのエージング工程の短時間化を実現できることになる。
【００２３】
【発明の効果】
以上のように、本発明のプラズマディスプレイパネルのエージング方法によれば、実駆動に先立って行うエージングのエージング放電が放電セルの広い範囲にわたって広がるため、エージング効果が高められ、特に、従来のエージングでは難しかった背面側の基板上に形成された蛍光体層に対してエージング放電による陽イオンのスパッタリングが充分に行え、ホワイトバランスの崩れ、白画像品質の悪化を防止する蛍光体層の初期劣化を加速することができ、エージング工程の短時間化により作業効率が向上するという効果がある。
【図面の簡単な説明】
【図１】プラズマディスプレイパネルの構成斜視図
【図２】図１のＡ−Ａ線における断面図
【図３】図１のＢ−Ｂ線における断面図
【図４】本発明のプラズマディスプレイパネルのエージング方法の実施の形態１におけるエージング放電状態図
【図５】本発明のプラズマディスプレイパネルのエージング方法の実施の形態２におけるエージング放電状態図
【図６】従来のプラズマディスプレイパネルのエージング方法におけるエージング放電状態図
【符号の説明】
１　表面側の基板
２　走査電極
２ａ，３ａ　透明電極
２ｂ，３ｂ　母線
３　維持電極
４　表示電極
５　遮光層
６　誘電体層
７　ＭｇＯ膜
８　背面側の基板
９　絶縁体層
１０　データ電極
１１　隔壁
１２　蛍光体層
１３　放電セル
１４，１５，１６　エージング放電
【図１】
2004014428.tif 000003
【図２】
2004014428.tif 000004
【図３】
2004014428.tif 000005
【図４】
2004014428.tif 000006
【図５】
2004014428.tif 000007
【図６】
2004014428.tif 000008